(57)【要約】【課題】統一した計算方法や評価方法で不偏性をもって正確かつ効率的にＡＬＭ業務をネットワークを用いて行う銀行ＡＬＭシステム、方法およびプログラムを提供する。【解決手段】銀行ＡＬＭシステム１は通信手段１１によりネットワーク３を介して銀行システム５からＡＬＭに必要なＡＬＭ用情報を取得し、分析および集計し、該ＡＬＭ用情報からＡＬＭに有効な分析集計情報を取得し、この分析集計情報に基づいてＡＬＭおよびその評価を行い、この評価結果および分析集計情報に基づき総合的資産負債管理用レポートを作成し、このレポートを通信手段によりネットワーク３を介して銀行システム５に送信し、また評価結果、分析集計情報および総合的資産負債管理用レポートを履歴情報として履歴データベースに格納する。【選択図】      図１
2004303036.tif 000002
【特許請求の範囲】
【請求項１】
ネットワークを介して銀行システムと接続され、銀行システムにおける総合的資産負債管理を行う銀行ＡＬＭシステムであって、
ネットワークを介して銀行システムとデータ通信を行うための通信手段と、
この通信手段によりネットワークを介して銀行システムから総合的資産負債管理に必要な資産負債管理用情報を取得する情報取得手段と、
この取得した資産負債管理用情報から総合的資産負債管理に有効な分析集計情報を取得すべく前記資産負債管理用情報を分析および集計する情報分析集計手段と、
この分析集計した分析集計情報に基づいて総合的資産負債管理およびその評価を行う評価手段と、
この評価結果および前記分析集計情報に基づき総合的資産負債管理用レポートを作成し、この総合的資産負債管理用レポートを前記通信手段によりネットワークを介して銀行システムに送信する送信手段と、
前記評価結果、分析集計情報および総合的資産負債管理用レポートを履歴情報として格納する履歴データベース
を有することを特徴とする銀行ＡＬＭシステム。
【請求項２】
前記通信手段は、ネットワークを介して銀行システムと通信するデータを保護し暗号化する暗号化手段を備えていることを特徴とする請求項１記載の銀行ＡＬＭシステム。
【請求項３】
前記情報分析集計手段は、前記履歴データベースに履歴情報として先に格納されている評価結果、分析集計情報および総合的資産負債管理用レポートを参照して、前記資産負債管理用情報の分析および集計を行う履歴情報参照手段を有することを特徴とする請求項１または２記載の銀行ＡＬＭシステム。
【請求項４】
前記通信手段、情報取得手段、情報分析集計手段、評価手段、送信手段および履歴データベースは、ネットワークを介して複数の銀行システムと個別にデータ通信を行い、各銀行システムから資産負債管理用情報を取得し、各銀行システムに対する資産負債管理用情報の分析および集計を行い、各銀行システムに対する総合的資産負債管理用レポートを作成して送信し、この総合的資産負債管理用レポートを履歴情報として履歴データベースに格納するようにそれぞれ連携して複数の銀行システムに対処し得るように構成されていることを特徴とする請求項１乃至３のいずれか１項に記載の銀行ＡＬＭシステム。
【請求項５】
ネットワークを介して銀行システムと接続された銀行ＡＬＭシステムにおいて銀行システムにおける総合的資産負債管理を行う銀行ＡＬＭ方法であって、
銀行ＡＬＭシステムにおいては、
ネットワークを介して銀行システムとデータ通信を行うための通信手段によりネットワークを介して銀行システムから総合的資産負債管理に必要な資産負債管理用情報を取得し、
この取得した資産負債管理用情報から総合的資産負債管理に有効な分析集計情報を取得すべく前記資産負債管理用情報を分析および集計し、
この分析集計した分析集計情報に基づいて総合的資産負債管理およびその評価を行い、
この評価結果および前記分析集計情報に基づき総合的資産負債管理用レポートを作成し、この総合的資産負債管理用レポートを前記通信手段によりネットワークを介して銀行システムに送信し、
前記評価結果、分析集計情報および総合的資産負債管理用レポートを履歴情報として履歴データベースに格納すること
を特徴とする銀行ＡＬＭ方法。
【請求項６】
前記通信手段は、ネットワークを介して銀行システムと通信するデータを保護し暗号化することを特徴とする請求項５記載の銀行ＡＬＭ方法。
【請求項７】
前記資産負債管理用情報の分析集計処理は、前記履歴データベースに履歴情報として先に格納されている評価結果、分析集計情報および総合的資産負債管理用レポートを参照して、前記資産負債管理用情報の分析および集計を行うことを特徴とする請求項５または６記載の銀行ＡＬＭ方法。
【請求項８】
前記銀行ＡＬＭシステムは、ネットワークを介して複数の銀行システムと個別にデータ通信を行い、各銀行システムから資産負債管理用情報を取得し、各銀行システムに対する資産負債管理用情報の分析および集計を行い、各銀行システムに対する総合的資産負債管理用レポートを作成して送信し、この総合的資産負債管理用レポートを履歴情報として履歴データベースに格納するように複数の銀行システムに対処していることを特徴とする請求項５乃至７のいずれか１項に記載の銀行ＡＬＭ方法。
【請求項９】
請求項５乃至８のいずれか１項に記載の銀行ＡＬＭ方法をコンピュータに実行させることを特徴とするコンピュータ実行可能な銀行ＡＬＭプログラム。
【発明の詳細な説明】
【０００１】
【発明の属する技術分野】
本発明は、銀行とネットワークを介して接続され、銀行における総合的資産負債管理を行う銀行ＡＬＭシステム、方法およびプログラムに関する。
【０００２】
【従来の技術】
銀行においては、正常な銀行経営を行うために総合的資産負債管理（Ａｓｓｅｔ  Ｌｉａｂｉｌｉｔｙ  Ｍａｎａｇｅｍｅｎｔ）（以下、ＡＬＭと略称する）が求められている。ＡＬＭを実施するためには、高度に専門的な金融工学の知識が必要であり、そのため現行の銀行業務では、ＡＬＭの必要性が問われながらも実施されていないかまたは個々に閉じた形で独自に行われている。ＡＬＭは、銀行が所有する資産の情報を基に金融工学に基づく数式を用いて計算を行い、この結果に対して評価を加える形で行われている。
【０００３】
銀行におけるＡＬＭは、従来、図５に示すように、ノウハウを所有している担当者が独自にシステムから情報を取得し、この取得した情報やその他の情報に対して例えば表計算ソフトウェアなどのツールを利用して手動で計算を行った後、独自な判断を行って、個別評価を行い、その結果の数値を経営会議などに付議し、その中で評価が行われている。
【０００４】
一方、現金自動預払機（ＡＴＭ）を利用した各顧客の属性情報に対応した特典情報を印字した情報カードを発行するシステムも知られている（例えば、特許文献１参照）。
【０００５】
【特許文献１】
特開２００２−１０９２４３号
【０００６】
【発明が解決しようとする課題】
従来のＡＬＭ業務は、個々の銀行で独自に行われていて、正確性や不偏性に欠けるとともに、ＡＬＭに必要な計算やその結果の評価が分かれていて、統一性に欠け、また効率的でないという問題があり、統一された計算や評価を用いて不偏性をもって正確かつ効率的にＡＬＭを行うためのネットワークを利用したＡＬＭシステムが要望されている。
【０００７】
本発明は、上記に鑑みてなされたもので、その目的とするところは、統一した計算方法や評価方法で不偏性をもって正確かつ効率的にＡＬＭ業務をネットワークを用いて行う銀行ＡＬＭシステム、方法およびプログラムを提供することにある。
【０００８】
【課題を解決するための手段】
上記目的を達成するため、請求項１記載の本発明は、ネットワークを介して銀行システムと接続され、銀行システムにおける総合的資産負債管理を行う銀行ＡＬＭシステムであって、ネットワークを介して銀行システムとデータ通信を行うための通信手段と、この通信手段によりネットワークを介して銀行システムから総合的資産負債管理に必要な資産負債管理用情報を取得する情報取得手段と、この取得した資産負債管理用情報から総合的資産負債管理に有効な分析集計情報を取得すべく前記資産負債管理用情報を分析および集計する情報分析集計手段と、この分析集計した分析集計情報に基づいて総合的資産負債管理およびその評価を行う評価手段と、この評価結果および前記分析集計情報に基づき総合的資産負債管理用レポートを作成し、この総合的資産負債管理用レポートを前記通信手段によりネットワークを介して銀行システムに送信する送信手段と、前記評価結果、分析集計情報および総合的資産負債管理用レポートを履歴情報として格納する履歴データベースとを有することを要旨とする。
【０００９】
請求項１記載の本発明にあっては、通信手段によりネットワークを介して銀行システムから総合的資産負債管理に必要な資産負債管理用情報を取得し、この資産負債管理用情報を分析および集計し、該資産負債管理用情報から総合的資産負債管理に有効な分析集計情報を取得し、この分析集計情報に基づいて総合的資産負債管理およびその評価を行い、この評価結果および分析集計情報に基づき総合的資産負債管理用レポートを作成し、この総合的資産負債管理用レポートを通信手段によりネットワークを介して銀行システムに送信するとともに、評価結果、分析集計情報および総合的資産負債管理用レポートを履歴情報として履歴データベースに格納するため、従来、各銀行で個別にしかも種々の方法で行われていたＡＬＭ業務をネットワークを介して統一した計算方法や評価方法で不偏性をもって正確かつ効率的に一連の流れとして行うことができる。
【００１０】
また、請求項２記載の本発明は、請求項１記載の発明において、前記通信手段が、ネットワークを介して銀行システムと通信するデータを保護し暗号化する暗号化手段を備えていることを要旨とする。
【００１１】
請求項２記載の本発明にあっては、ネットワークを介して銀行システムと通信するデータを暗号化して保護しているため、ＡＬＭ用の重要なデータが外部に漏洩することがないし、また通信を行うクライアント側の銀行システムに銀行ＡＬＭシステムが提供するＡＰＩを使用することにより、通信部分の保護および通信プロトコルを意識することなくデータの授受を行うことができる。
【００１２】
更に、請求項３記載の本発明は、請求項１または２記載の発明において、前記情報分析集計手段が、前記履歴データベースに履歴情報として先に格納されている評価結果、分析集計情報および総合的資産負債管理用レポートを参照して、前記資産負債管理用情報の分析および集計を行う履歴情報参照手段を有することを要旨とする。
【００１３】
請求項３記載の本発明にあっては、履歴データベースに履歴情報として先に格納されている評価結果、分析集計情報および総合的資産負債管理用レポートを参照して、現在の資産負債管理用情報に対する分析および集計を行うため、先に格納されている履歴情報を参照しながら、各銀行の傾向を把握したり、その傾向を現在のＡＬＭに反映することができる。
【００１４】
請求項４記載の本発明は、請求項１乃至３のいずれか１項に記載の発明において、前記通信手段、情報取得手段、情報分析集計手段、評価手段、送信手段および履歴データベースが、ネットワークを介して複数の銀行システムと個別にデータ通信を行い、各銀行システムから資産負債管理用情報を取得し、各銀行システムに対する資産負債管理用情報の分析および集計を行い、各銀行システムに対する総合的資産負債管理用レポートを作成して送信し、この総合的資産負債管理用レポートを履歴情報として履歴データベースに格納するようにそれぞれ連携して複数の銀行システムに対処し得るように構成されていることを要旨とする。
【００１５】
請求項４記載の本発明にあっては、複数の銀行システムから資産負債管理用情報を取得し、その分析、集計処理を行い、総合的資産負債管理用レポートを作成して送信するため、複数の銀行のそれぞれに対して統一した計算方法や評価方法で不偏性をもって正確かつ効率的にＡＬＭ業務を行うことができる。
【００１６】
また、請求項５記載の本発明は、ネットワークを介して銀行システムと接続された銀行ＡＬＭシステムにおいて銀行システムにおける総合的資産負債管理を行う銀行ＡＬＭ方法であって、銀行ＡＬＭシステムにおいては、ネットワークを介して銀行システムとデータ通信を行うための通信手段によりネットワークを介して銀行システムから総合的資産負債管理に必要な資産負債管理用情報を取得し、この取得した資産負債管理用情報から総合的資産負債管理に有効な分析集計情報を取得すべく前記資産負債管理用情報を分析および集計し、この分析集計した分析集計情報に基づいて総合的資産負債管理およびその評価を行い、この評価結果および前記分析集計情報に基づき総合的資産負債管理用レポートを作成し、この総合的資産負債管理用レポートを前記通信手段によりネットワークを介して銀行システムに送信し、前記評価結果、分析集計情報および総合的資産負債管理用レポートを履歴情報として履歴データベースに格納することを要旨とする。
【００１７】
請求項５記載の本発明にあっては、通信手段によりネットワークを介して銀行システムから総合的資産負債管理に必要な資産負債管理用情報を取得し、この資産負債管理用情報を分析および集計し、該資産負債管理用情報から総合的資産負債管理に有効な分析集計情報を取得し、この分析集計情報に基づいて総合的資産負債管理およびその評価を行い、この評価結果および分析集計情報に基づき総合的資産負債管理用レポートを作成し、この総合的資産負債管理用レポートを通信手段によりネットワークを介して銀行システムに送信するとともに、評価結果、分析集計情報および総合的資産負債管理用レポートを履歴情報として履歴データベースに格納するため、従来、各銀行で個別にしかも種々の方法で行われていたＡＬＭ業務をネットワークを介して統一した計算方法や評価方法で不偏性をもって正確かつ効率的に一連の流れとして行うことができる。
【００１８】
更に、請求項６記載の本発明は、請求項５記載の発明において、前記通信手段が、ネットワークを介して銀行システムと通信するデータを保護し暗号化することを要旨とする。
【００１９】
請求項６記載の本発明にあっては、ネットワークを介して銀行システムと通信するデータを暗号化して保護しているため、ＡＬＭ用の重要なデータが外部に漏洩することがないし、また通信を行うクライアント側の銀行システムに銀行ＡＬＭシステムが提供するＡＰＩを使用することにより、通信部分の保護および通信プロトコルを意識することなくデータの授受を行うことができる。
【００２０】
請求項７記載の本発明は、請求項５または６記載の発明において、前記資産負債管理用情報の分析集計処理が、前記履歴データベースに履歴情報として先に格納されている評価結果、分析集計情報および総合的資産負債管理用レポートを参照して、前記資産負債管理用情報の分析および集計を行うことを要旨とする。
【００２１】
請求項７記載の本発明にあっては、履歴データベースに履歴情報として先に格納されている評価結果、分析集計情報および総合的資産負債管理用レポートを参照して、現在の資産負債管理用情報に対する分析および集計を行うため、先に格納されている履歴情報を参照しながら、各銀行の傾向を把握したり、その傾向を現在のＡＬＭに反映することができる。
【００２２】
また、請求項８記載の本発明は、請求項５乃至７のいずれか１項に記載の発明において、前記銀行ＡＬＭシステムが、ネットワークを介して複数の銀行システムと個別にデータ通信を行い、各銀行システムから資産負債管理用情報を取得し、各銀行システムに対する資産負債管理用情報の分析および集計を行い、各銀行システムに対する総合的資産負債管理用レポートを作成して送信し、この総合的資産負債管理用レポートを履歴情報として履歴データベースに格納するように複数の銀行システムに対処していることを要旨とする。
【００２３】
請求項８記載の本発明にあっては、複数の銀行システムから資産負債管理用情報を取得し、その分析、集計処理を行い、総合的資産負債管理用レポートを作成して送信するため、複数の銀行のそれぞれに対して統一した計算方法や評価方法で不偏性をもって正確かつ効率的にＡＬＭ業務を行うことができる。
【００２４】
更に、請求項９記載の本発明は、請求項５乃至８のいずれか１項に記載の銀行ＡＬＭ方法をコンピュータ実行可能な銀行ＡＬＭプログラムとしてコンピュータに実行させることを要旨とする。
【００２５】
請求項９記載の本発明にあっては、銀行ＡＬＭ方法を銀行ＡＬＭプログラムとして例えば記録媒体などに記録してコンピュータに実行させるので、該記録媒体を用いて、その流通性を高めることができる。
【００２６】
【発明の実施の形態】
以下、図面を用いて本発明の実施の形態を説明する。図１は、本発明の一実施形態に係る銀行ＡＬＭシステムを構成するブロック図である。同図に示す実施形態の銀行ＡＬＭシステム１は、ネットワーク３を介して複数の銀行システム５ａ，５ｂ，…５ｎに接続され、各銀行システム５からの依頼によりＡＬＭ業務を行い、その結果として総合的資産負債管理用レポートを銀行システムに提示するものである。
【００２７】
銀行ＡＬＭシステム１は、ネットワーク３を介して各銀行システム５とデータ通信を行うための通信手段１１、この通信手段１１を介して銀行システム５から取得したＡＬＭに必要なＡＬＭ用情報を入力する情報取得手段を構成する入力手段１３、この入力手段１３を介して銀行システム５から取得したＡＬＭ用情報を分析および集計し、ＡＬＭに有効な分析集計情報を取得する情報分析集計手段を構成するＡＬＭエンジン１５、このＡＬＭエンジン１５で分析集計した分析集計情報を受け取り、この情報に基づいて総合的資産負債管理およびその評価を行うとともに、この評価結果および分析集計情報に基づきＡＬＭ用レポート２３を作成し、このＡＬＭ用レポート２３を通信手段１１によりネットワーク３を介して銀行システム５に送信する評価手段および送信手段を構成するレポート作成手段１７、ＡＬＭエンジン１５における分析集計情報、レポート作成手段１７における評価結果およびＡＬＭ用レポート２３を履歴情報として各銀行システム５毎に格納する履歴データベース２１、および前記分析集計情報、評価結果、ＡＬＭ用レポート２３を受け取り、履歴データベース２１に格納するように制御する結果登録手段１９から構成されている。
【００２８】
また、通信手段１１は、ネットワーク３を介した銀行システム５との通信を隠蔽し、複雑なプロトコルを意識することなく通信を可能とするとともに、銀行システム５と通信するデータを保護するためにデータを暗号化する暗号化手段を備えている。ＡＬＭエンジン１５は、履歴データベース２１に履歴情報として先に格納されている評価結果、分析集計情報および総合的資産負債管理用レポートを参照して、入力手段１３で現在取得した資産負債管理用情報の分析および集計を行う履歴情報参照手段を有する。
【００２９】
更に、図１の銀行ＡＬＭシステム１は、通信手段１１、入力手段１３、ＡＬＭエンジン１５、レポート作成手段１７、結果登録手段１９、履歴データベース２１をネットワーク３を介して複数の銀行システム５ａ，５ｂ，…５ｎと個別にデータ通信を行い、各銀行システム５から資産負債管理用情報を取得し、各銀行システム５に対する資産負債管理用情報の分析および集計を行い、各銀行システムに対するＡＬＭ用レポート２３を作成して送信し、このＡＬＭ用レポート２３を履歴情報として履歴データベース２１に格納するようにそれぞれ連携して複数の銀行システムに対処し得るように構成されている。
【００３０】
また、入力手段１３は、通信手段１１を介して銀行システム５と行った通信文が規定の電文であることを判別し、ＡＬＭエンジン１５が計算可能な電文であるか否かを例えば属性、桁数、上下限などについてチェックするとともに、更にＡＬＭエンジン１５の機能に合わせて一部データの変換を行う機能も有する。結果登録手段１９は、また過去の実績データをＡＬＭエンジン１５による計算結果に追加するために履歴データベース２１に登録する機能も有する。
【００３１】
更に、レポート作成手段１７は、ＡＬＭエンジン１５の計算分析結果を表示出力するとともに、その結果を基に必要により人間が行った評価を加えてＡＬＭ用レポート２３を作成する機能も有する。
【００３２】
一方、各銀行システム５は、種々の資産負債管理用情報をシステム内から収集して参照したり、その他の情報などを収集参照する情報収集参照アプリケーション（ＡＰ）５１、およびこの情報収集参照アプリケーション５１内に設けられ、情報収集参照アプリケーション５１で収集参照した資産負債管理用情報を含む各種情報をネットワーク３を介して銀行ＡＬＭシステム１に送信したり、または銀行ＡＬＭシステム１からのＡＬＭ用レポート２３などを含む各種情報をネットワーク３を介して受信する通信手段５３から構成されている。
【００３３】
次に、図２に示すフローチャートを参照して、以上のように構成される本実施形態の銀行ＡＬＭシステム１の作用について説明する。
【００３４】
図２では、まず銀行ＡＬＭシステム１は、通信手段１１、ネットワーク３を介して銀行システム５からＡＬＭ用情報などを含むデータを入力し（ステップＳ１１）、この入力したＡＬＭ用情報を含むデータを入力手段１３でチェックする（ステップＳ１３）。このチェックしたデータが正しいものでない場合には、そのＮＧ内容を履歴データベース２１に出力して本処理を停止する（ステップＳ１５）。
【００３５】
一方、入力手段１３でのチェックの結果、入力データが正しいものである場合には、銀行出力データであるＡＬＭ用情報をＡＬＭエンジン１５に供給し、ＡＬＭエンジン１５は、このＡＬＭ用情報を分析および集計して、該ＡＬＭ用情報から総合的資産負債管理に有効な分析集計情報を取得する（ステップＳ１９）。なお、この分析、集計処理において当該入力データが正しいものでない場合には、そのログファイルを出力して本処理を停止する（ステップＳ２１）が、正しいものである場合には、ＡＬＭエンジン１５は、取得した分析集計情報をエンジン出力データとしてレポート作成手段１７に供給し（ステップＳ２３）、当該分析集計結果が正しいものであるか否かをチェックし（ステップＳ２５）、正しくない場合には、ログファイルを出力して本処理を停止するが（ステップＳ２７）、正しい場合には、レポート作成手段１７において該分析集計情報に基づいて総合的資産負債管理およびその評価を行うとともに、この評価結果および分析集計情報に基づきＡＬＭ用レポート２３を作成し（ステップＳ２９）、履歴データベース２１に登録すべく結果登録手段１９に供給する。結果登録手段１９は、履歴データベース２１に登録するデータをチェックし（ステップＳ３１）、該データが正しくない場合には、ログファイルを出力して本処理を停止するが（ステップＳ３３）、正しい場合には、履歴データベース２１に登録し、前記ＡＬＭ用レポート２３を帳票出力として出力するか否かをチェックし（ステップＳ３５）、否の場合には、ログファイルを出力して本処理を停止するが（ステップＳ３７）、否でない場合には、当該ＡＬＭ用レポート２３を帳票出力として通信手段１１からネットワーク３を介して銀行システム５に送信する（ステップＳ３９）。なお、ステップＳ３５の処理を外部から直接起動し、前記帳票を出力することも可能である。
【００３６】
また同様に、図３に示すフローチャートを参照して、本実施形態の銀行ＡＬＭシステム１の作用について更に詳しく説明する。
【００３７】
図３では、本実施形態の銀行ＡＬＭシステム１は、通信手段１１からネットワーク３を介した銀行システム５から各種情報、すなわち資産負債管理用情報の取得、具体的には、銀行の債務ファイル、貸付ファイル、株式ファイル、コールファイルなどの保有資産状況の取得（ステップＳ１１１）、普通預金ファイル、定期預金ファイル、為替予約ファイル、金利スワップファイル、先物などの保有資産情報の取得（ステップＳ１１３）、金利シナリオファイル、為替シナリオファイル、株式指標ファイルなどの各商品情報の取得（ステップＳ１１５）、ＶａＲ（Ｖａｌｕｅ  Ａｔ  Ｒｉｓｋ）計算パラメータ、金利・為替・株式相関ファイル、格付相関ファイルなどのＡＬＭパラメータの取得（ステップＳ１１７）、既定売却ファイル、自動投資ファイル、キャッシュフロー入力ファイルなどのスケジュール情報の取得（ステップＳ１１９）などのように各種資産負債管理用情報の取得を行い、この取得した各種資産負債管理用情報を入力手段１３で属性、桁数、上下限などについて入力チェックを行い（ステップＳ１２１）、入力チェックを通過した各種資産負債管理用情報に対して所定の形式に従った日付変換、具体的にはＡＬＭエンジン１５に適合する日付への変換を行う（ステップＳ１２３）。
【００３８】
それから、この入力データ、すなわち各種資産負債管理用情報をＡＬＭエンジン１５に供給し、ＡＬＭエンジン１５においてその分析および集計処理を含む計算／評価を行い（ステップＳ１２５）、その結果データを結果登録手段１９により履歴データベース２１に登録するとともに（ステップＳ１２７）、その結果データである分析集計情報、評価結果をＡＬＭエンジン１５からレポート作成手段１７に出力し、レポート作成手段１７において評価結果および分析集計情報に基づきＡＬＭ用レポート２３を帳票用集計として作成し（ステップＳ１２９）、このＡＬＭ用レポート２３として残高推移集計（ステップＳ１３１）、収差推移推計集計（ステップＳ１３５）、キャッシュフロー推移集計（ステップＳ１３９）、ギャップ分析集計（ステップＳ１３３）、ＮＡＶ（Ｎｅｔ  Ａｓｓｅｔ  Ｖａｌｕｅ；純資産価値）、ＢＰＶ（Ｂａｓｉｓ  Ｐｏｉｎｔ  Ｖａｌｕｅ）分析集計（ステップＳ１３７）、ＶａＲ（Ｖａｌｕｅ  Ａｔ  Ｒｉｓｋ）分析集計（ステップＳ１４１）を出力する。
【００３９】
図４は、このように出力されたＡＬＭ用レポート２３の１つである資産別残高の推移を示すグラフである。同図において、「イ」は住宅ローン（長プラ）を、「ロ」は住宅ローン（固定）を、「ハ」は住宅ローン（短プラ）を、「ニ」は地方債を西暦２００２年〜２００５年の各四半期毎に示している。
【００４０】
なお、上記実施形態の銀行ＡＬＭシステムの処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、銀行ＡＬＭシステムとして機能させることができることは勿論であり、このような記録媒体を用いることにより、その流通性を高めることができるものである。
【００４１】
【発明の効果】
以上説明したように、本発明によれば、通信手段によりネットワークを介して銀行システムから総合的資産負債管理に必要な資産負債管理用情報を取得し、この資産負債管理用情報を分析および集計し、該資産負債管理用情報から総合的資産負債管理に有効な分析集計情報を取得し、この分析集計情報に基づいて総合的資産負債管理およびその評価を行い、この評価結果および分析集計情報に基づき総合的資産負債管理用レポートを作成し、この総合的資産負債管理用レポートを通信手段によりネットワークを介して銀行システムに送信するとともに、評価結果、分析集計情報および総合的資産負債管理用レポートを履歴情報として履歴データベースに格納するので、従来、各銀行で個別にしかも種々の方法で行われていたＡＬＭ業務をネットワークを介して統一した計算方法や評価方法で不偏性をもって正確かつ効率的に一連の流れとして行うことができる。
【００４２】
また、本発明によれば、ネットワークを介して銀行システムと通信するデータを暗号化して保護しているので、ＡＬＭ用の重要なデータが外部に漏洩することがないし、また通信を行うクライアント側の銀行システムに銀行ＡＬＭシステムが提供するＡＰＩを使用することにより、通信部分の保護および通信プロトコルを意識することなくデータの授受を行うことができる。
【００４３】
更に、本発明によれば、履歴データベースに履歴情報として先に格納されている評価結果、分析集計情報および総合的資産負債管理用レポートを参照して、現在の資産負債管理用情報に対する分析および集計を行うので、先に格納されている履歴情報を参照しながら、各銀行の傾向を把握したり、その傾向を現在のＡＬＭに反映することができる。
【００４４】
本発明によれば、複数の銀行システムから資産負債管理用情報を取得し、その分析、集計処理を行い、総合的資産負債管理用レポートを作成して送信するので、複数の銀行のそれぞれに対して統一した計算方法や評価方法で不偏性をもって正確かつ効率的にＡＬＭ業務を行うことができる。
【００４５】
また、本発明によれば、銀行ＡＬＭ方法を銀行ＡＬＭプログラムとして例えば記録媒体などに記録してコンピュータに実行させるので、該記録媒体を用いて、その流通性を高めることができる。
【図面の簡単な説明】
【図１】本発明の一実施形態に係る銀行ＡＬＭシステムの構成を示すブロック図である。
【図２】図１に示す実施形態の銀行ＡＬＭシステムの作用を示すフローチャートである。
【図３】図１に示す実施形態の銀行ＡＬＭシステムの更に詳細な作用を示すフローチャートである。
【図４】図１に示す実施形態の銀行ＡＬＭシステムにより出力されたＡＬＭ用レポートの１つである資産別残高の推移を示すグラフである。
【図５】従来のＡＬＭ業務を行う銀行内における手順を示す説明図である。
【符号の説明】
１  銀行ＡＬＭシステム
３  ネットワーク
５  銀行システム
１１，５３  通信手段
１３  入力手段
１５  ＡＬＭエンジン
１７  レポート作成手段
１９  結果登録手段
２１  履歴データベース
２３  ＡＬＭ用レポート
５１  情報収集参照アプリケーション
【図１】
2004303036.tif 000003
【図２】
2004303036.tif 000004
【図３】
2004303036.tif 000005
【図４】
2004303036.tif 000006
【図５】
2004303036.tif 000007